(57)【要約】【課題】蝶番の簡素化と小型化を図り、更に扉の着脱作業が容易に行えるキャビネット用蝶番を提供する。【解決手段】第１の蝶番Ｂの離間した円筒部３が取付座２より突出してスリット４を形成したばね装着部５を有し、ばね装着部５に直線部６とこれを囲うように円弧部７を形成したばねＤの、直線部６がスリット４にはまり込み円弧部７はばね装着部５の円筒部外周に巻着し、蝶番ピンＡはばね装着部４にはまり込んだ直線部６が、蝶番ピンＡのつまみ頭部１がばね装着部５に当接し蝶番ピンＡの先端部８が第２の蝶番Ｃを挿通し離間した一方の円筒部３に達したときにはまり込む係止溝９ａと、先端部８が第１の蝶番Ｂの離間した円筒部３から離間した円筒部の間に突出しない状態ではまり込む係止溝９ｂを有する。【選択図】  図１
2009114661.tif 000002
【特許請求の範囲】
【請求項１】
一端につまみ頭部を有する円柱形の蝶番ピンと、取付座に設けた前記蝶番ピン挿通用の離間した円筒部を有する第１の蝶番と、前記離間した円筒部の間に嵌合し前記蝶番ピン挿通用の円筒部を有する第２の蝶番とから成る蝶番において、前記第１の蝶番の離間した円筒部が前記取付座の端部より突出し該突出部にスリットを形成したばね装着部を有し、該ばね装着部に、直線部と該直線部の一端が該直線部を囲うように円弧部を形成した略ｅ字形状のばねの、前記直線部が前記スリットにはまり込み前記円弧部は前記ばね装着部の円筒部外周に巻着し、前記蝶番ピンは前記スリットにはまり込んだ前記略ｅ字形状のばねの直線部が、該蝶番ピンのつまみ頭部がばね装着部に当接し該蝶番ピンが第２の蝶番を挿通し第１の蝶番の他方の円筒部に達したときにはまり込み係止する係止溝と、該蝶番ピンの先端部が前記第１の蝶番の離間した円筒部の間に突出しない状態で、はまり込み係止する係止溝を有することを特徴とするキャビネット用蝶番。
【請求項２】
第１の蝶番の離間した円筒部にスリットを形成したばね装着部を有し、各々のばね装着部に前記略ｅ字形状のばねを巻着し、該ばねの直線部が、蝶番ピンのつまみ頭部がばね装着部に当接し該蝶番ピンの先端部が前記第１の蝶番の離間した円筒部の間に突出したときにはまり込み係止する係止溝と、該蝶番ピンの先端部が前記第１の蝶番の離間した円筒部の間に突出しない状態で、はまり込み係止する係止溝を有する一対の蝶番ピンで成ることを特徴とする請求項１に記載のキャビネット用蝶番。
【請求項３】
蝶番ピン挿通用の離間した円筒部にスリットを形成し、前記円筒部近傍の取付座の端部に凹部を形成したばね装着部を設け、蝶番ピンを挿通したとき該蝶番ピンのつまみ頭部は前記第１の蝶番の取付座の端部より突出しないことを特徴とする請求項１又は請求項２に記載のキャビネット用蝶番。
【発明の詳細な説明】
【技術分野】
【０００１】
本発明は主に電子電気機器収納用キャビネット等のような、蝶番取付けスペースが制約されるキャビネットで、扉の着脱が容易におこなえるキャビネット用蝶番に関するものである。
【背景技術】
【０００２】
大形のキャビネットでは複数の蝶番を取付けて扉の開閉を可能にしたものがある。しかし、扉重量が重いため扉の着脱作業時、本体側と扉側の蝶番の軸孔を合せ蝶番ピンを挿通するのは困難である。そのため予め本体側蝶番に蝶番ピンを挿入しておき扉着脱時の蝶番の軸孔合せを容易にする方法がある。
【０００３】
例えば特許文献１によれば、蝶番ピン挿通用の円筒状部分１ｂと平坦な取付け部分１ａとからなる取付け枠１に、コ字状に形成されたばね３を、取付け枠１に溶接される当て金具４によって装着される。円筒状部分１ｂに形成されたスリットにコ字状に形成されたばね３の先端をはめ込み更に蝶番ピンに設けた溝にはまり込ませることによって蝶番ピンの軸孔の位置を一致させようとするものである。
【特許文献１】特開２００１−２７９９９０号公報
【発明の開示】
【発明が解決しようとする課題】
【０００４】
しかし、特許文献１の構造では、ばね３はコ字状に形成されているため、蝶番ピンが挿通される円筒状部分１ｂには二つのスリット１ｃ、１ｄが必要である。更にコ字状のばね３の装着には取付け枠１と取付け枠１の背中部分に溶接される当て金具４が必要であった。
【０００５】
即ち、上記構造ではコ字状のばねの小型化は困難で、更に二つのスリット加工と取付け枠、溶接される当て金具が必要となるなど構造が複雑で、又、溶接の熱影響で前記コ字状のばねの特性が変化するため溶接によるキャビネットへの取付けができないなど、特に電子電気機器収納用キャビネット等のような蝶番取付けスペースに制約があるキャビネットでの使用には限界があった。
【０００６】
本発明は、上記のような問題点を解決し、電子電気機器収納用キャビネット等のような蝶番取付けスペースに制約があるキャビネットでも使用できるように、蝶番の簡素化と小型化を図り、更に扉の着脱作業が容易に行えるキャビネット用蝶番を提供することを目的としたものである。
【課題を解決するための手段】
【０００７】
第１の発明では、一端につまみ頭部を有する円柱形の蝶番ピンと、取付座に設けた前記蝶番ピン挿通用の離間した円筒部を有する第１の蝶番と、前記離間した円筒部の間に嵌合し前記蝶番ピン挿通用の円筒部を有する第２の蝶番とから成る蝶番において、前記第１の蝶番の離間した円筒部が前記取付座の端部より突出し該突出部にスリットを形成したばね装着部を有し、該ばね装着部に、直線部と該直線部の一端が該直線部を囲うように円弧部を形成した略ｅ字形状のばねの、前記直線部が前記スリットにはまり込み前記円弧部は前記ばね装着部の円筒部外周に巻着し、前記蝶番ピンは前記スリットにはまり込んだ前記略ｅ字形状のばねの直線部が、該蝶番ピンのつまみ頭部がばね装着部に当接し該蝶番ピンが第２の蝶番を挿通し第１の蝶番の他方の円筒部に達したときにはまり込み係止する係止溝と、該蝶番ピンの先端部が前記第１の蝶番の離間した円筒部の間に突出しない状態ではまり込み係止する係止溝を有する。
【０００８】
第２の発明では、第１の蝶番の離間した円筒部にそれぞれスリットを形成したばね装着部を有し、それぞれのばね装着部に前記略ｅ字形状のばねを巻着し、該ばねの直線部が、蝶番ピンのつまみ頭部がばね装着部に当接し該蝶番ピンの先端部が前記第１の蝶番の離間した円筒部の間に突出したときにはまり込み係止する係止溝と、該蝶番ピンの先端部が前記第１の蝶番の離間した円筒部の間に突出しない状態ではまり込み係止する係止溝を有する一対の蝶番ピンで成る。
【０００９】
第３の発明では、蝶番ピン挿通用の離間した円筒部にスリットを形成し、前記円筒部近傍の取付座の端部に凹部を形成したばね装着部を設け、蝶番ピンを挿通したとき該蝶番ピンのつまみ頭部は前記第１の蝶番の取付座の端部より突出しない。
【発明の効果】
【００１０】
第１の発明によれば、蝶番ピン挿通用の離間した円筒部のばね装着部に装着した略ｅ字形状のばねの直線部は前記ばね装着部に形成したスリットにはまり込み、且つ、該ばねの円弧部は前記円筒部のばね装着部外周に巻着するので、装着が容易で装着後は外れる恐れがない。又、従来のような当て金具や溶接作業が不要となり、蝶番の小型化と構造の簡素化により安価に製作できるようになった。
【００１１】
更に、電子電気機器収納用キャビネット等のような蝶番取付けスペースが制約されるキャビネットでは、蝶番のねじ止めスペースが確保出来ない場合はキャビネットに直接溶接される場合が多いが、従来の蝶番構造では既にばねが装着された状態でキャビネットに溶接することになり、その溶接熱でばね特性が変化する恐れがあった。更には、該キャビネットを塗装した場合、蝶番やばねに塗料が付着、硬化して目的の機能が得られない恐れもあった。
【００１２】
しかし、本発明の蝶番構造では略ｅ字形状のばねは、塗装完了後の組立工程での装着が可能なため、従来の蝶番のように溶接時の熱や塗料の付着の影響は生じない。更に扉の着脱時、第１の蝶番のばね装着部外周に巻着した略ｅ字形状のばねの直線部がばね装着部に形成したスリットにはまり込み、更に該直線部は挿通した蝶番ピンの係止溝にはまり込み係止されるので蝶番ピンは第１の蝶番の円筒部内から離脱することがなく、蝶番の軸孔合せや扉の着脱作業が容易におこなえる効果がある。
【００１３】
第２の発明によれば、蝶番ピンを第１の蝶番の各々離間した円筒部から第２の蝶番に挿通する一対の蝶番ピンとしたので、蝶番ピンの長さが短くなり、扉着脱時第１の蝶番の取付座の端部からの蝶番ピンの突出が半減した。その為、蝶番を従来に比べ扉の端部に取付けても蝶番ピンの操作が可能となり、蝶番取付けピッチを大きくでき安定した扉開閉ができるようになった。
【００１４】
第３の発明によれば、蝶番ピンＡを挿通したとき該蝶番ピンＡのつまみ頭部は第１の蝶番の取付座の端部より突出させないことで更に蝶番ピンを短くすることができる。その結果、従来よりも蝶番取付けピッチを小さくすることが可能となり、重量の重い扉などは蝶番数量を増やすことができ、より安定した扉の開閉操作が可能となった。
【発明を実施するための最良の形態】
【００１５】
本発明の第１の実施例の形態を図１〜図４について説明する。
図１は、蝶番ピンＡ挿通用の離間した円筒部３、３を有する第１の蝶番Ｂと、前記離間部に嵌合し蝶番ピンＡ挿通用の円筒部を有する第２の蝶番Ｃに、一端につまみ頭部１を有する円柱形の蝶番ピンＡを挿通した正面図を表す。尚、本発明の実施例では第１の蝶番Ｂは本体側蝶番、第２の蝶番Ｃは扉側蝶番として説明する。
【００１６】
第１の蝶番Ｂには離間した円筒部３、３が第１の蝶番Ｂの取付座２より突出し、該突出部にスリット４を形成したばね装着部５、５を設けてあり、ばね装着部５、５のどちらか一方にばねＤが装着してある。ばねＤはピアノ線のようなばね用線材で、直線部６と直線部６の一端が直線部６を囲うように円弧部７を形成した平面略ｅ字形状で、直線部６がスリット４にはまり込み円弧部７はばね装着部５の円筒部外周に巻着した状態に装着してある。
【００１７】
又、蝶番ピンＡは２条の係止溝９ａ、９ｂを有し、係止溝９ａは蝶番ピンＡのつまみ頭部１がばねＤを装着したばね装着部５に当接し、蝶番ピンＡの先端部８が第２の蝶番Ｃを挿通し離間した他方の円筒部３に達したときスリット４にあるばねＤの直線部６がはまり込む位置に、また係止溝９ｂは蝶番ピンＡの先端部８が第１の蝶番Ｂの離間した円筒部３から離間した円筒部の間に突出しない状態でスリット４にあるばねＤの直線部６がはまり込む位置にそれぞれ形成してある。
【００１８】
尚、ばねＤが装着された円筒部３に蝶番ピンＡの先端部８から挿通し、ばねＤの直線部６が係止溝９ｂ又は９ａにはまり込んだ時、ばねＤの直線部６が係止溝９ｂから９ａへ、又は９ａから９ｂへ離脱しやすいように係止溝９ａ、９ｂの傾斜角１１は緩やかに、反対方向へは容易に離脱しないように傾斜角１２はきつく形成してある。
【００１９】
即ち、扉装着時、予め本体側蝶番である第１の蝶番Ｂの離間した円筒部３のばね装着部５にばねＤを装着しておき蝶番ピンＡを挿通した時、スリット４にはまり込んでいるばねＤの直線部６が蝶番ピンＡの係止溝９ｂにはまり込み蝶番ピンＡは第１の蝶番Ｂの離間した円筒部３内で係止される。尚、蝶番ピンＡの係止溝９ｂの傾斜角１２は離脱方向に対してはきつく形成してあるので外れや落下の心配はない。
【００２０】
本体側蝶番である第１の蝶番Ｂに蝶番ピンＡを係止した状態で、第１の蝶番Ｂの離間した円筒部の間に扉側蝶番である第２の蝶番Ｃを嵌合して更に蝶番ピンＡを挿通し蝶番ピンＡのつまみ頭部１がばね装着部５に当接し蝶番ピンＡの先端部８が第２の蝶番Ｃを挿通し離間した他方の円筒部３に達したとき蝶番ピンＡの係止溝９ａにばねＤの直線部６がはまり込み蝶番ピンＡを係止し扉の装着が完了する。
つまり扉着脱時、蝶番ピンＡは本体側蝶番から脱落することがないので、大きく重い扉でも蝶番の軸孔合せが容易に行える効果がある。
【００２１】
本発明の第２の実施例の形態を図５〜図６について説明する。
第１の蝶番Ｂには離間した円筒部３、３が第１の蝶番Ｂの取付座２の端部より突出し、該突出部にスリット４を形成したばね装着部５、５を設けてあり、ばね装着部５、５に各々ばねＤが装着してある。
【００２２】
一方蝶番ピンは各々ばね装着部５、５から第２の蝶番Ｃ方向に挿通し、一端につまみ頭部１を有する一対の蝶番ピンＡ、Ａとする。尚、一対の蝶番ピンＡ、Ａは各々２条の係止溝９ａ、９ｂを有し、係止溝９ａは蝶番ピンＡのつまみ頭部１がばね装着部５に当接し蝶番ピンＡの先端部８が第２の蝶番Ｃを挿通し、お互いの先端部８が当接しない状態でスリット４にあるばねＤの直線部６がはまり込む位置に、係止溝９ｂは蝶番ピンＡの先端部８が第１の蝶番Ｂの離間した円筒部３から離間した円筒部の間に突出しない状態でスリット４にあるばねＤの直線部６がはまり込む位置にそれぞれ形成してある。
尚、係止溝９ａ、９ｂは本発明の第１の実施例と同様に傾斜角を形成してある。
【００２３】
以上のように、本発明の第２の実施例では、第１の蝶番の離間した円筒部の両端から挿通する一対の蝶番ピンに分割したので、本発明の第１の実施例に於ける蝶番ピンより長さは半減し、蝶番ピンＡの先端部８が各々離間した円筒部３、３から突出しない開放状態としたとき、第１の蝶番Ｂの取付座２の端部からの蝶番ピンＡの突出寸法が半減する。従って、蝶番ピンＡの突出寸法が半減した分、蝶番は従来に比べ扉の端部に取付けが可能となり、蝶番取付けピッチを大きくでき安定した扉開閉ができるようになった。
【００２４】
本発明の第３の実施例の形態を図７について説明する。
第１の蝶番Ｂの離間した円筒部３、３近傍の取付座２の端部に凹部１０を形成して突出部を設け、該突出部にスリット４を形成したばね装着部５、５を設け、ばね装着部５、５には各々ばねＤが装着してある。
尚、ばね装着部５、５は、蝶番ピンＡを挿通したとき蝶番ピンＡのつまみ頭部１が第１の蝶番Ｂの取付座２の端部より突出しないように凹ませてある。
【００２５】
上記のように、蝶番ピンのつまみ頭部が本体蝶番の取付座の端部より突出させないことで本発明の第２の実施例よりも更に蝶番ピンを短くすることが可能となる。その結果、従来よりも蝶番取付けピッチを小さくすることが可能となり、重量の重い扉などは蝶番数量を増やすことができ、より安定した扉の開閉操作が可能となった。
【図面の簡単な説明】
【００２６】
【図１】本発明の第１の実施例に於ける蝶番の蝶番ピン挿通状態の正面図である。
【図２】図１のａ−ａ断面図である。
【図３】本発明の第１の実施例に於ける扉着脱時の蝶番ピン及び第２の蝶番の状態を示す正面図である。
【図４】本発明の第１の実施例に於ける蝶番ピンの正面図である。
【図５】本発明の第２の実施例に於ける蝶番の蝶番ピン挿通状態の正面図である。
【図６】本発明の第２の実施例に於ける扉着脱時の蝶番ピン及び第２の蝶番の状態を示す正面図である。
【図７】本発明の第３の実施例に於ける蝶番の蝶番ピン挿通状態の部分断面図である。
【符号の説明】
【００２７】
１    つまみ頭部
２    取付座
３    円筒部
４    スリット
５    ばね装着部
６    直線部
７    円弧部
８    先端部
９ａ  係止溝
９ｂ  係止溝
１０  凹部
Ａ    蝶番ピン
Ｂ    第１の蝶番
Ｃ    第２の蝶番
Ｄ    ばね
【図１】
2009114661.tif 000003
【図２】
2009114661.tif 000004
【図３】
2009114661.tif 000005
【図４】
2009114661.tif 000006
【図５】
2009114661.tif 000007
【図６】
2009114661.tif 000008
【図７】
2009114661.tif 000009